(57)【要約】【課題】スライドさせて筐体より挿脱する試料室ユニットを覆うクッション性を有する断熱材の弾力作用方向とスライド方向が垂直の場合でも断熱材が破損しない光分析装置を提供する。【解決手段】試料室ユニット２と筐体４８間の４面にはクッション性を有する部材からなる断熱材４４、４５、４６、４７が圧縮され配設されている。なお、弾力作用方向と挿脱方向が垂直の断熱材４４、４５、４６と試料室ユニット２の間には筐体４８に一端が保持されたバネ板４１、４２、４３が介在する。【選択図】          図２
0003140866.tif 000002
【実用新案登録請求の範囲】
【請求項１】
光を試料に照射する光照射ユニットと、前記試料を収容載置する試料室ユニットと、前記照射に伴い生じる透過光、反射光およびまたは蛍光を測定する測光ユニットと、前記各ユニットを収容保持する収容部を備えた筐体とからなる光分析装置において、前記筐体の収容部における内壁面に対して垂直方向に弾力を生起する断熱材と、該断熱材を収容部の内方から覆う形で内張りされたバネ板を付設し、試料室ユニットが筐体の収容部に対して挿入されるとき前記弾力にて保持され取り出し時には弾力に抗して取り出し可能であることを特徴とする光分析装置。
【請求項２】
収容部内壁面とバネ板との間には断熱材が充填されていることを特徴とする請求項１記載の光分析装置。
【考案の詳細な説明】
【技術分野】
【０００１】
本考案は、試料に光を照射してその透過光あるいは反射光または発生する蛍光を測定して物質の定性・定量を行う光分析装置に関し、特には試料を載置する試料室の装置に対する保持挿脱に関する。
【背景技術】
【０００２】
光分析装置にはいろいろな種類があるが、最も一般的な分光光度計は、光を放射する光源とこの光を分光する分光器を備えた光照射ユニットと、分光された光が照射される試料を載置する試料室ユニットと、試料を透過または反射した光を電気信号に変換する検出器と電気回路を備えた測光ユニットと、この電気回路の出力をデータ処理し装置を制御するコンピュータを備えている。
【０００３】
光分析装置の他の例として、高速液体クロマトグラフ用蛍光分光検出器は、光を放射する光源とこの光を分光する分光器を備えた光照射ユニットと、フローセルが配設されこのフローセルに試料を導入し分光された光を照射するような構造とした試料室ユニットと、試料で発生する蛍光を分光する分光器と分光された光を電気信号に変換する光電変換器と電気回路を備えた測光ユニットと、この電気回路の出力信号をデータ処理し装置全体を制御するコンピュータから成る。
【０００４】
このような光分析装置は、物質の定性等のために吸収スペクトル測定や蛍光スペクトル測定をするだけでなく、物質の濃度測定のための定量測定や、酵素反応速度測定などのための吸光度の時間変化測定等幅広い分野で使用されている。
【０００５】
測定対象となる試料の測定環境や形態および形状は目的に応じて極めて多様であり、１種類の試料室ユニットではあらゆる試料に対応するのは不可能であるため、通常は一つの光分析装置に対して複数の種類の試料室ユニットが準備されており、目的に合致する試料室ユニットが選択使用される。このような試料室ユニットの多様化に伴い、保持固定機構に嵌合しない別種の被保持構造を具備する試料室ユニットを保持固定するための着脱可能なアダプターを備えた装置が供給されている（例えば特許文献１参照）。
【特許文献１】実登３１１６４５５号公報
【考案の開示】
【考案が解決しようとする課題】
【０００６】
上記光分析装置の一例として、試料室ユニットのメンテナンスを容易に行うために、筐体から試料室ユニットを単一方向に摺接（スライド）させて挿脱するものがある。試料を温度制御された環境下で測定する場合、試料室ユニットの保温性と気密性を保つために断熱性と弾性を有する断熱材で外周面を覆う必要がある。断熱材の弾性による力が作用する方向（弾力作用方向）と試料室ユニットのスライド方向とが同一の場合は問題ないが、弾力作用方向とスライド方向が垂直の場合、試料室ユニットをスライドさせて挿脱させると、断熱材が接触面で摩擦によりスライド方向に引き寄せられ、終には破損にいたる。本考案の目的は、弾力作用方向とスライド方向が垂直の場合でも断熱材が破損しない光分析装置を提供することである。
【課題を解決するための手段】
【０００７】
本考案は、光を試料に照射する光照射ユニットと、前記試料を収容載置する試料室ユニットと、前記照射に伴い生じる透過光、反射光およびまたは蛍光を測定する測光ユニットと、前記各ユニットを収容保持する収容部を備えた筐体とからなる光分析装置において、前記筐体の収容部における内壁面に対して垂直方向に弾力を生起する断熱材と、該断熱材を収容部の内方から覆う形で内張りされたバネ板を付設し、試料室ユニットが筐体の収容部に対して挿入されるとき前記弾力にて保持され取り出し時には弾力に抗して取り出し可能である。また、収容部内壁面とバネ板との間には断熱材が充填されている。したがって、試料室ユニットのスライド面と断熱材とは接触しない。
【考案の効果】
【０００８】
試料室ユニットと断熱材とはスライド面で直接には接触しないため、断熱材の弾力作用方向と試料室ユニットのスライド方向が垂直の場合でも断熱材が破損しない。したがって、試料室ユニットは、長期にわたり安定性良好な温度特性を維持できる。
【考案を実施するための最良の形態】
【０００９】
バネ板は熱伝導が小さく耐腐食性の大きな素材が採用され、さらに長さ方向の熱伝導を小さくするために極薄い板が使用される。
【実施例】
【００１０】
本考案の実施例について図１、図２を参照して説明する。図１は、本考案の実施例による光分析装置の概略構造を示す図である。図２は、本考案の実施例による試料室ユニットと断熱材などの配置を示す図である。
【００１１】
本考案の光分析装置は、図１に示すとおり、光を試料Ｓに照射する光照射ユニット１と、フローセルが設けられその中を試料Ｓが流れる試料室ユニット２と、試料Ｓへの光照射に伴い生ずる蛍光を測定する測光ユニット３と、試料Ｓの温度を調節する温調ユニット４と、分析データや操作メニューなどを表示する表示器６と、各ユニットを制御し測光ユニット３の出力信号をデータ処理する制御ユニット５を備えている。
【００１２】
光照射ユニット１は、例えばキセノンランプなどからなる光源１１と、光源１１で発生する光を分光する分光器１２と、分光された光の方向を変えるミラー１３から成り、分光された光を図示しないフローセルに導入された試料Ｓに照射する。分光器１２は制御ユニット５により制御され、分光器１２を出射する光の波長が決まる。測光ユニット３は、試料Ｓで発生した蛍光を分光する分光器３１と、分光された蛍光を電気信号に変換する検出器３２と、この電気信号を増幅し制御ユニット５へ出力する増幅器３３から成る。分光器３１は制御ユニット５により制御され、測定する蛍光の波長が決まる。
【００１３】
図２は図１における試料室ユニット２の周辺の構造を示す図で、図２（ａ）は図２（ｂ）の断面Ｂ−Ｂを矢印の方向から見た断面図であり、図２（ｂ）は図２（ａ）の断面Ａ−Ａを矢印の方向から見た断面図である。試料室ユニット２と筐体４８間の４面にはクッション性を有する部材からなる断熱材４４、４５、４６、４７が圧縮され配設されている。なお、弾力作用方向と挿脱方向が垂直の断熱材４４、４５、４６と試料室ユニット２の間には筐体４８に一端が保持されたバネ板４１、４２、４３が介在されている。筐体４８と断熱材４７は、試料Ｓを照射する光束が通過する開孔Ｈ１を有し、筐体４８および断熱材４５とバネ板４２は、試料Ｓから発生する蛍光が通過する開孔Ｈ２を有する。
【００１４】
試料室ユニット２は、その底面が温調ユニット４に接触し、熱伝導により温度制御される。試料室ユニット２は、図２（ｂ）に示すレール４９、５０、５１、５２に沿ってバネ板４１、４２、４３に接触しつつ、挿脱方向にスライドし取り外しと取り付けが行われる。
【００１５】
本考案は以上の構造であるから、バネ板４１、４２、４３の介在により試料室ユニット２と断熱材４４、４５、４６とはスライド面で直接には接触しないため、断熱材４４、４５、４６の弾力作用方向と試料室ユニット２のスライド方向が垂直であるが、断熱材４４、４５、４６は破損しない。したがって、試料室ユニット２は、長期にわたり安定性良好な温度特性を維持できる。
【００１６】
図示例においては、試料Ｓに光を照射して発生する蛍光を測定する構造としたが、試料Ｓに光を照射して透過する光あるいは反射する光を測定する構造でも本考案は適用可能である。また、試料Ｓは、試料室ユニット２に備えられたフローセルを流れる液体試料であるが、キュベットに注入された液体試料または固体試料ホルダーに保持された個体試料でもよい。また、バネ板４１、４２、４３の代わりに弾性板からなる構造でも同様な機能を有し本考案に含まれる。上述のとおり光分析装置は種々の構造とすることができ、本考案はこれら変形例を包含する。
【産業上の利用可能性】
【００１７】
本考案は、試料に光を照射してその透過光あるいは反射光または発生する蛍光を測定して物質の定性・定量を行う光分析装置に関し、特には試料を載置する試料室の装置に対する保持挿脱に関する。
【図面の簡単な説明】
【００１８】
【図１】本考案の実施例による光分析装置の概略構造を示す図である。
【図２】本考案の実施例による試料室ユニットと断熱材などの配置を示す図である。
【符号の説明】
【００１９】
１  光照射ユニット
２  試料室ユニット
３  測光ユニット
４  温調ユニット
５  制御ユニット
６  表示器
１１  光源
１２  分光器
１３  ミラー
３１  分光器
３２  検出器
３３  増幅器
４１  バネ板
４２  バネ板
４３  バネ板
４４  断熱材
４５  断熱材
４６  断熱材
４７  断熱材
４８  筐体
４９  レール
５０  レール
５１  レール
５２  レール
Ｈ１  開孔
Ｈ２  開孔
Ｓ  試料
【図１】
0003140866.tif 000003
【図２】
0003140866.tif 000004